(57)【特許請求の範囲】
【請求項１】
複数の階は、上部のフィルターと下部のグレーチング床とによって、それぞれダウンフロー方式のクリーンルームに形成され、各階のクリーンルーム内にはそれぞれ荷保管装置が設置され、各荷保管装置は、矩形箱状の囲壁体体内に回転棚が設けられ、これら回転棚は、縦方向の回転棚軸心の周りで回転自在に設けられるとともに、前記回転棚軸心を中心とした回転円経路上に複数の荷受け部が設けられ、前記回転棚の側外方と、階層間の床を貫通して設けられたダクト体内とに亘って共有の移載手段が設けられ、前記ダクト体の下端は、下階の荷保管装置における囲壁体の天井板に形成された貫通部の部分に連結され、そして、下階のフイルターから、上階床、上階のグレーチング床へと通されたのち、その上端は、上階の荷保管装置における囲壁体の床板に形成された貫通部の部分に連結されていることを特徴とする荷保管設備。
【請求項２】
移載手段の移載作用部は、回転棚軸心に平行状の移載軸心の周りで回転自在に設けられるとともに、回転円経路に接線状に重合される移載円経路上で作用自在に構成されていることを特徴とする請求項１記載の荷保管設備。
【請求項３】
回転棚群は、その回転棚軸心が同一線状として複数の階に設けられていることを特徴とする請求項１または２記載の荷保管設備。
【請求項４】
移載円経路上には固定棚が設けられていることを特徴とする請求項２記載の荷保管設備。
【請求項５】
移載手段が、階層間の床側に配設された梁材間を貫通して設けられていることを特徴とする請求項１〜４のいずれかに記載の荷保管設備。
【発明の詳細な説明】
【０００１】
【発明の属する技術分野】
本発明は、複数の階に亘って荷の保管を行うのに採用される荷保管設備に関するものである。
【０００２】
【従来の技術】
従来、この種のものとしては、たとえば特開平１０−９８０９４号公報に見られる保管棚装置が提供されている。すなわち、この従来構成においてストッカは角形の筐体を有し、この筐体は、上階のクリーンルームと下階のクリーンルームとを区画するグレーチング床に形成された開口を貫通して設けられている。そして筐体内には円筒棚が設けられ、ここで円筒棚は、垂直に立設された円筒状のフレームに、周方向や上下方向に多数の保管部を設けるとともに、所定箇所に、外部との間で保管物の受け渡しを行う受け渡し部を設けることで構成されている。
【０００３】
また円筒棚の内部にはスタッカが設けられ、このスタッカは、水平面内で旋回駆動される旋回台と、この旋回台上に垂直に立設される昇降コラムなどからなり、昇降コラムには昇降台が設けられている。そして昇降台上には、アーム式の伸縮機構を介して保管物把持用のハンドが設けられている。
【０００４】
このような従来構成によると、旋回台の旋回と、昇降台の昇降と、伸縮機構の伸縮動と、ハンドの把持動などの組み合わせ動作によって、円筒棚の目的とする保管部と受け渡し部との間で保管物の受け渡しを行える。そして、円筒棚の保管部群により保管物を支持することで、複数の階に亘って保管物の保管を行える。
【０００５】
【発明が解決しようとする課題】
しかし上記した従来構成によると、保管物の保管量（格納量）を増加するためには、保管部の周方向での数を増加させなければならず、この場合、数が増加するほどに円筒状のフレームの直径が大に、すなわち筐体が大型化されることになる。その結果、グレーチング床には大きな開口を形成しなければならないことから、据え付け作業は容易に行えず、またグレーチング床の強度に問題が生じる恐れがある。
【０００６】
そこで本発明の請求項１記載の発明は、全体をコンパクトに構成し得るものでありながら保管量を増加し得、しかも階層間の床に対する貫通面積を小さくし得る荷保管設備を提供することを目的としたものである。
【０００７】
また請求項４記載の発明は、さらに保管量を増加し得る荷保管設備を提供することを目的としたものである。
【０００８】
【課題を解決するための手段】
前述した目的を達成するために、本発明の請求項１記載の荷保管設備は、複数の階は、上部のフィルターと下部のグレーチング床とによって、それぞれダウンフロー方式のクリーンルームに形成され、各階のクリーンルーム内にはそれぞれ荷保管装置が設置され、各荷保管装置は、矩形箱状の囲壁体体内に回転棚が設けられ、これら回転棚は、縦方向の回転棚軸心の周りで回転自在に設けられるとともに、前記回転棚軸心を中心とした回転円経路上に複数の荷受け部が設けられ、前記回転棚の側外方と、階層間の床を貫通して設けられたダクト体内とに亘って共有の移載手段が設けられ、前記ダクト体の下端は、下階の荷保管装置における囲壁体の天井板に形成された貫通部の部分に連結され、そして、下階のフイルターから、上階床、上階のグレーチング床へと通されたのち、その上端は、上階の荷保管装置における囲壁体の床板に形成された貫通部の部分に連結されていることを特徴としたものである。
【０００９】
したがって請求項１の発明によると、回転棚を回転棚軸心の周りに回転させて、回転円経路上の荷受け部群のうち、目的とする荷受け部を移載手段に対向させることで、この荷受け部に対して移載手段により荷の出し入れを行える。しかも、移載手段を複数の階の回転棚に共有することで、移載手段の台数を少なくし得るとともに、階層間の床に対しては移載手段のみを貫通して配設すればよく、床に対する貫通面積を小さくし得る。そして、囲壁体内に配設される回転棚と、上下の囲壁体内とダクト体内とに亘って配設される移載手段とは、クリーンルーム内では隔離されて配設されることになり、これにより、回転棚や移載手段により発生する塵埃によってクリーンルームが汚れることを防止し得る。
【００１０】
また本発明の請求項２記載の荷保管設備は、上記した請求項１記載の構成において、移載手段の移載作用部は、回転棚軸心に平行状の移載軸心の周りで回転自在に設けられるとともに、回転円経路に接線状に重合される移載円経路上で作用自在に構成されていることを特徴としたものである。
【００１１】
したがって請求項２の発明によると、移載手段の移載作用部を移載軸心の周りに回転させることで、移載円経路上の複数箇所に回転円経路を接線状に重合させた状態で、移載手段の周辺に複数の回転棚を配設し得る。
【００１２】
そして本発明の請求項３記載の荷保管設備は、上記した請求項１または２記載の構成において、回転棚群は、その回転棚軸心が同一線状として複数の階に設けられていることを特徴としたものである。
【００１３】
したがって請求項３の発明によると、各階の回転棚に対する移載手段の移載作用（制御）を単純化（共通化）し得る。
さらに本発明の請求項４記載の荷保管設備は、上記した請求項２記載の構成において、移載円経路上には固定棚が設けられていることを特徴としたものである。
【００１４】
したがって請求項４の発明によると、移載手段の移載作用部を移載軸心の周りに回転させることで、固定棚に対して荷の出し入れを行える。
しかも本発明の請求項５記載の荷保管設備は、上記した請求項１〜４のいずれかに記載の構成において、移載手段が、階層間の床側に配設された梁材間を貫通して設けられていることを特徴としたものである。
【００１５】
したがって請求項５の発明によると、移載手段を階層間の床側に貫通させるものでありながら、梁材によって床側を補強し得る。
【００１７】
【発明の実施の形態】
以下に、本発明の第１の実施の形態を、図１〜図１６に基づいて説明する。
図１〜図４において、上階１と下階２とは、天井壁３と上階床４と下階床５とによって区画形成されている。そして上階１と下階２には、上部のフィルター６と下部のグレーチング床（多孔板）７とによって、それぞれクリーンルーム８が形成されている。なおグレーチング床７は、多数の梁材９を介して施工されている。ここでクリーンルーム８は、上部のフィルター６を通してクリーンエアＡが噴出され、グレーチング床７の下側に排出されるダウンフロー方式によってクリーン雰囲気とされている。
【００１８】
前記上階１と下階２とのクリーンルーム８内には、それぞれ荷保管装置１０が設置されている。ここで両荷保管装置１０はほぼ同様の構成であって、矩形箱状の囲壁体１１と、この囲壁体１１内に配設された回転棚２１、固定棚１０１、ならびに囲壁体１１を貫通して配設された入出庫手段１１１ａ，１１１ｂなどにより構成され、そして、両荷保管装置１０に共有の移載手段５１が設けられている。
【００１９】
前記囲壁体１１は、枠組体１２と、この枠組体１２の外側で下半分に取り付けられた下部外板１３と、枠組体１２の外側で上半分に取り付けられた上部外板１４と、枠組体１２の下側に取り付けられた床板１５と、枠組体１２の上側に取り付けられた天井板１６などにより密閉状に構成されている。その際に、下部外板１３や上部外板１４の少なくとも一部、主として上部外板１４には樹脂製などの透明板が使用され、以て、囲壁体１１内の荷保管室（荷保管空間）１７の状況を、透明板を透して外から把握し得るように構成されている。
【００２０】
さらに、前記囲壁体１１の少なくとも一箇所の角部でかつ上下方向の設定範囲、たとえば上部外板１４が配設される上下方向の設定範囲でかつ４つの角部はカット部１８に形成されている。なお囲壁体１１は、前記床板１５の下面側に設けられた脚体１９を介してグレーチング床７上に配設されている。
【００２１】
図３〜図６において、前記荷保管室１７内の一側寄りの位置には前記回転棚２１が配設されている。この回転棚２１は、縦方向の回転棚軸心２２の周りで回転自在に設けられるとともに、前記回転棚軸心２２を中心とした回転円経路２３上に複数の荷受け部３２が設けられている。
【００２２】
すなわち底板１５上には、前記回転棚軸心２２を中心とした円状のＬＭガイド手段２５を介して円板状の回転体２６が設けられている。この回転体２６の中央部分からは、前記回転棚軸心２２上に位置される状態で６角筒状の縦軸体２７が立設され、この縦軸体２７の上端には閉塞板２７Ａが設けられている。そして閉塞板２７Ａの中央部分から立設された縦ピン２８が、前記囲壁体１１の上部に設けられた支持プレート２０に対して、軸受装置２９を介して遊転自在に支持されている。
【００２３】
前記縦軸体２７の上下方向の複数箇所には、６角状の環状板３０が外嵌して配設され、これら環状板３０は複数の取付け部材３１などを介して縦軸体２７に連結されている。各環状板３０の周方向の６箇所（複数箇所）に前記荷受け部３２が配設され、これら荷受け部３２は板枠状であって、その基端が連結具３３を介して環状板３０側に連結されることで、横外方へ突出される状態で環状板３０側に片持ち状で支持されている。
【００２４】
そして荷受け部３２には、上下ならびに遊端（外側）に開放される凹所３４が形成されるとともに、この凹所３４の周辺の３箇所（単数個所または複数箇所）からは位置決めピン３５が立設されている。また、荷受け部３２の基端部分には在荷検出手段の一部を構成する反射ミラー３６が、遊端部分にはレベル検出手段の一部を構成する反射テープ３７がそれぞれ設けられている。
【００２５】
前記回転棚２１を回転させる回転棚駆動手段４１が設けられている。すなわち、前記底板１５の隅部には回転駆動部４２が設けられ、この回転駆動部４２からの下向きの駆動軸４３には駆動ギヤ４４が設けられている。そして前記回転体２６の周縁にはリングギヤ４５が設けられ、このリングギヤ４５に前記駆動ギヤ４４が常時噛合されている。ここで回転駆動部４２は、モータや減速機などからなり、前記駆動軸４３を正逆に駆動すべく構成されている。
【００２６】
したがって、回転棚駆動手段４１の回転駆動部４２により駆動軸４３を正逆に駆動させることで、駆動ギヤ４４やリングギヤ４５などを介して回転棚２１を、回転棚軸心２２の周りで正逆に回転し得る。その際に回転棚２１は、最大で１８０°の回転が行われるように構成されている。以上の２２〜４５などにより回転棚２１の一例が構成される。ここで上階１の回転棚２１と下階２の回転棚２１とは、その回転棚軸心２２が同一線状として設けられている。
【００２７】
図１、図３、図４、図７〜図９において、前記荷保管室１７内の他側寄りの位置、すなわち、前記回転棚２１の側外方には前記移載手段５１が配設され、その際に移載手段５１は、階層間の床である上階床４を貫通されることで、上下の荷保管装置１０に共有として設けられている。そして移載手段５１の移載作用部８１は、前記回転棚軸心２２に平行状の移載軸心５２の周りで回転自在に設けられるとともに、前記回転円経路２３に接線状に重合される移載円経路５３上で作用自在に構成されている。
【００２８】
すなわち、下階２の荷保管装置１０における底板１５上にはベース枠５４が設けられ、このベース枠５４からポスト体５５が立設されるとともに、このポスト体５５の前面側にはガイドレール５６が設けられている。ここでポスト体５５は、下階２の荷保管装置１０における囲壁体１１の天井板１６に形成された貫通部１６ａから、下階２のフイルター６に形成された貫通部６ａ、上階床４に形成された貫通部４ａ、上階１のグレーチング床７に形成された貫通部７ａ、上階１の荷保管装置１０における囲壁体１１の床板１５に形成された貫通部１５ａを通って、その上部は上階１の荷保管装置１０における囲壁体１１内に位置されている。
【００２９】
ここでポスト体５５は、左右一対の側部材５５Ａと、これら側部材５５Ａの内側面間に設けられた後部材５５Ｂと、この後部材５５Ｂの前面側に設けられた前部材５５Ｃとからなり、これら前部材５５Ｃの前面側に、前記ガイドレール５６がそれぞれ設けられている。そしてポスト体５５の上端には上枠５７が設けられ、また前部材５５Ｃにはそれぞれカバー体５８が設けられている。
【００３０】
前記ガイドレール５６に被ガイド体５９を介して昇降自在（ＬＭガイド）に案内される昇降部６０が設けられるとともに、この昇降部６０に連動された昇降駆動手段６１が設けられている。すなわち昇降部６０は、前記被ガイド体５９側に連結された縦方向部材６０Ａと、この縦方向部材６０Ａの下端から前方へと連設された横方向部材６０Ｂとにより、側面視でＬ字状に形成されている。
【００３１】
前記昇降駆動手段６１は、前記ベース枠５４内に配設された駆動輪体６２と、前記上枠５７の部分に配設された従動輪体６３と、両輪体６２，６３間に巻回される回動体（タイミングベルトなど）６４と、前記駆動輪体６２の近くに配設された案内輪体６５と、前記駆動輪体６２に連動された回転駆動部６６などにより構成されている。ここで各輪体６２，６３，６５は左右一対であり、そして回動体６４も左右一対に配設されている。
【００３２】
その際に各回動体６４は、駆動輪体６２に巻回される下位回動部６４Ａと、従動輪体６３に巻回される上位回動部６４Ｂとからなる。そして、ポスト体５５の前面側に位置されるそれぞれの遊端は前記被ガイド体５９側に連結され、また後面側に位置されるそれぞれの遊端間は張力調整具６７を介して連結されている。前記回転駆動部６６は、正逆駆動可能なモータや減速機などから構成され、その駆動軸６８に一対の駆動輪体６２が取り付けられている。
【００３３】
前記昇降部６０の横方向部材６０Ｂ上には、前記移載軸心５２の周りで回転自在な回転体７０が設けられ、その際に回転体７０の中央部分から垂設された縦軸７１が横方向部材６０Ｂ側の軸受７２に回転自在に支持されている。そして前記縦軸７１に連動された回転駆動手段７３が設けられている。
【００３４】
すなわち回転駆動手段７３は、前記縦方向部材６０Ａから横方向部材６０Ｂに亘って設けられた回転駆動部７４と、その下向きの駆動軸７５に取り付けられた駆動輪体７６と、前記縦軸７１に取り付けられた従動輪体７７と、両輪体７６，７７間に巻回された無端回動体（タイミングベルトなど）７８と、前記横方向部材６０Ｂ内に配設された複数の案内輪体７９などにより構成されている。ここで前記回転駆動部７４は、正逆駆動可能なモータや減速機などから構成されている。
【００３５】
前記移載作用部８１はフォーク形式であって、前記回転体７０に対して前後方向（横方向）に出退自在に配設され、以て前記移載軸心５２の周りで回転自在に設けられる。すなわち移載作用部８１は、前後方向の支持板８１Ａと、この支持板８１Ａの中間部分から立設されたずれ規制板８１Ｂなどにより構成されている。そして、前記ずれ規制板８１Ｂよりも前方において、支持板８１Ａ上の複数箇所からは位置決めピン８２が立設されている。
【００３６】
前記回転体７０上には、左右一対のレール材８３が前後方向に配設されるとともに、これらレール材８３間でかつ左右方向の中央部分には前後方向のガイド体８４が設けられている。そして、前記支持板８１Ａの後端で下面側には、前記ガイド体８４に外嵌されてＬＭガイドを構成する被ガイド体８５が設けられている。
【００３７】
前記移載作用部８１を前後方向に出退させる出退駆動手段９０が設けられている。すなわち出退駆動手段９０は、ガイド体８４に沿って配設された螺子軸９１と、前記移載作用部８１の下面側に設けられかつ前記螺子軸９１に螺合されるナット体９２と、前記回転体７０上に搭載されかつ前記螺子軸９１にベルト連動機構９３を介して連動された回転駆動部９４などにより構成されている。ここで回転駆動部９４は、正逆駆動可能なモータや減速機などから構成されている。
【００３８】
なお前記移載作用部８１の支持板８１Ａは、前記荷受け部３２の凹所３４に対して昇降自在に構成されている。そして前記ポスト体５５の部分には、被ガイド体５９側の昇降を許しかつ両カバー体５８間の隙間を閉塞可能な防塵ベルト８７が設けられ、また回転体７０の部分には、移載作用部８１の前後動を許しかつガイド体８４の上方を閉塞可能な防塵ベルト８８が設けられている。
【００３９】
以上の５２〜９４などにより移載手段５１の一例が構成される。そして移載手段５１の移載作用部８１は、前記回転棚軸心２２に平行状の移載軸心５２の周りで回転自在に設けられるとともに、前記回転円経路２３に接線状に重合される移載円経路５３上で作用自在に構成されることになる。
【００４０】
ここで移載手段５１は、その移載作用部８１が回転棚２１の回転棚軸心２２に向けられた回動姿勢でかつ移載作用部８１が回転体７０内に位置された退入姿勢において、前述した貫通部１６ａ，６ａ，４ａ，７ａ，１５ａを通って、下階２の荷保管装置１０における囲壁体１１内と上階１の荷保管装置１０における囲壁体１１内との間で、昇降部６０が移動自在（昇降自在）に構成されている。
【００４１】
前記ポスト体５５などの配設空間や昇降部６０の移動経路などを確保するために、横断面が矩形状のダクト体９６が設けられている。ここでダクト体９６の下端は、下階２の荷保管装置１０における囲壁体１１の天井板１６に形成された貫通部１６ａの部分に連結され、そして、下階２のフイルター６に形成された貫通部６ａから、上階床４に形成された貫通部４ａ、上階１のグレーチング床７に形成された貫通部７ａへと通されたのち、その上端は、上階１の荷保管装置１０における囲壁体１１の床板１５に形成された貫通部１５ａの部分に連結されている。なおダクト体９６の中間部分は、ブラケット９７や連結具（アンカーボルトなと）９８を介して上階床４側に支持されている。
【００４２】
その際に移載手段５１、すなわちダクト体９６は、階層間の床側である前記グレーチング床７の施工（支持）を行う梁材９間を貫通して設けられている。これにより、移載手段５１をグレーチング床７などに貫通させるものでありながら、梁材９によってグレーチング床７を十分に補強し得る。そして、上下の囲壁体１１内とダクト体９６内とに亘って配設される移載手段５１は、クリーンルーム８内では隔離されて配設されることになる。これにより、回転棚２１や移載手段５１により発生する塵埃によってクリーンルーム８が汚れることを防止し得、以てクリーンルーム８のクリーン雰囲気を好適に維持できる。
【００４３】
図３、図４、図１０、図１１において、前記固定棚１０１は、前記荷保管室１７内の他側寄りの位置でかつ前記移載円経路５３上の４箇所（単数箇所または複数箇所）に設けられている。すなわち囲壁体１１内において、枠組体１２側の上下方向の複数箇所には横方向のフラットバー１０２が連結され、そして各フラットバー１０２には荷支持部１０３が設けられている。これら荷支持部１０３は板枠状であって、その基端が連結具１０４を介してフラットバー１０２側に連結され、以て横前方へ突出される状態でフラットバー１０２側に片持ち状で支持されている。
【００４４】
そして荷支持部１０３には、上下ならびに遊端（外側）に開放される凹所１０５が形成されるとともに、この凹所１０５の周辺の３箇所（単数個所または複数箇所）からは位置決めピン１０６が立設されている。なお、前記凹所１０５に対して前記移載作用部８１の支持板８１Ａが昇降自在に構成されている。以上の１０２〜１０６などにより固定棚１０１の一例が構成される。
【００４５】
図１、図３、図４、図１０、図１３〜図１６において、前記移載円経路５３上の４箇所に設けられた固定棚１０１のうちで、前記回転棚２１とは離れた側の２箇所（単数箇所または複数箇所）の固定棚１０１の下部には、下から３段分（下から複数段分）の荷支持部１０３を削除して空間部分１０７が形成されている。そして、これら空間部分１０７を利用して、前記移載手段５１との間で荷を受け渡し自在な入出庫手段が設けられている。その際に入出庫手段の入出庫方向１４５は、回転棚軸心２２と移載軸心５２とを結んだ線１０９に対して平行状に設定されている。
【００４６】
すなわち、囲壁体１１における他側の下部外板１３には、両空間部分１０７に対向されてそれぞれ入庫用貫通部１１０ａと出庫用貫通部１１０ｂが形成され、これら貫通部１１０ａ，１１０ｂを通して囲壁体１１の内外に亘る状態で、入庫手段（入出庫手段）１１１ａと出庫手段（入出庫手段）１１１ｂとが設けられている。
【００４７】
ここで入庫手段１１１ａと出庫手段１１１ｂは同様な構成であって、囲壁体１１の内外に亘る箱枠状の本体１１２を有し、この本体１１２上の外端部分には一時受け体１１３が設けられている。この一時受け体１１３は一枚板状または分割板状であって、凹所や貫通などによって昇降作用部１１４が形成されるとともに、この昇降作用部１１４の周辺の３箇所（単数個所または複数箇所）からは位置決めピン１１５が立設されている。
【００４８】
前記本体１１２内には、ガイド体１１６に支持案内されて内外方向（前後方向）に移動自在な移動部材１１７と、この移動部材１１７を内外方向に移動させる移動装置１１８とが設けられている。
【００４９】
ここで移動装置１１８は、移動部材１１７側に設けられた駆動部（モータなど）１１９と、この駆動部１１９からの左右方向の出力軸１２０に取り付けられたタイミングプーリ１２１と、このタイミングプーリ１２１の上方で内外方向の２箇所において移動部材１１７側に遊転自在に設けられたガイドプーリ１２２と、これらタイミングプーリ１２１からガイドプーリ１２２に亘って掛けられたタイミングベルト１２３などによって構成されている。なおタイミングベルト１２３の両端は、前記本体１１２側の内外端部に固定１２４されている。
【００５０】
前記移動部材１１７には昇降装置１２５が設けられている。この昇降装置１２５は、移動部材１１７側に軸受１２６を介して回転自在に設けられた縦方向の螺子軸体１２７と、移動部材１１７側に設けられた正逆駆動自在な駆動部（モータなど）１２８と、この駆動部１２８からの下向きの出力軸１２９と前記螺子軸体１２７との間に設けられた無端連動機構１３０と、前記螺子軸体１２７に螺合されたナット体１３１と、このナット体１３１を昇降案内すべく移動部材１１７側との間に設けられたガイド機構１３２などにより構成されている。そしてナット体１３１側に昇降部材１３３が連結されている。
【００５１】
これら昇降部材１３３には旋回装置１３５が設けられている。この旋回装置１３５は、昇降部材１３３側に連結されたブラケット１３６と、このブラケット１３６側に軸受１３７を介して回転自在に設けられた縦方向の軸体１３８と、ブラケット１３６側に設けられた正逆駆動自在な駆動部（モータなど）１３９と、この駆動部１３９からの上向きの出力軸１４０と前記軸体１３８との間に設けられた無端連動機構１４１などにより構成されている。そして軸体１３８の上端に昇降体１４２が連結されている。ここで昇降体１４２は板状であり、前記一時受け体１１３の昇降作用部１１４に対して嵌合自在に構成されている。
【００５２】
なお、本体１１２上の内端部分で、所定の３箇所（単数個所または複数箇所）からは位置決めピン１４３が立設されている。前記本体１１２などは、貫通部１１０ａ，１１０ｂに対して直角状で通り、以て入庫手段１１１ａと出庫手段１１１ｂの入出庫方向１４５は、回転棚軸心２２と移載軸心５２とを結んだ線１０９に対して平行状に設定されている。以上の１１２〜１４５などにより入庫手段１１１ａや出庫手段１１１ｂの一例が構成される。
【００５３】
前記出庫手段１１１ｂにおける外端部の側方にはストレージ手段１５１が一体状に設けられている。すなわち、前記本体１１２に一体状とした箱枠状の本体１５２が、この本体１１２とによって平面視でＬ字状として配設されている。前記本体１５２上の遊端部分（出庫手段１１１ｂとは離れた側）には一時受け体１５３が設けられている。この一時受け体１５３は一枚板状であって、凹所によって昇降作用部１５４が形成されるとともに、この昇降作用部１５４の周辺の３箇所（単数個所または複数箇所）からは位置決めピン１５５が立設されている。
【００５４】
前記本体１５２内には、ガイド体１５６に支持案内されて左右方向に移動自在な移動部材１５７と、この移動部材１５７を内外方向に移動させる移動装置１５８とが設けられている。ここで移動装置１５８は前記移動装置１１８と同様であって、駆動部１５９、出力軸１６０、タイミングプーリ１６１、ガイドプーリ１６２、タイミングベルト１６３などによって構成されている。そしてタイミングベルト１６３の両端は、前記本体１５２側の端部に固定１６４されている。
【００５５】
前記移動部材１５７には昇降装置１６５が設けられている。この昇降装置１６５は前記昇降装置１２５と同様であって、軸受１６６、螺子軸体１６７、駆動部１６８、出力軸１６９、無端連動機構１７０、ナット体１７１、ガイド機構１７２などにより構成されている。そしてナット体１７１側に、昇降部材１７３を介して昇降体１７４が連結されている。ここで昇降体１７４は板状であり、前記一時受け体１１３，１５３の昇降作用部１１４，１５４に対して嵌合自在に構成されている。以上の１５２〜１７４などによりストレージ手段１５１の一例が構成される。
【００５６】
上階１の荷保管装置１０においては、上述した入庫手段１１１ａと出庫手段１１１ｂの他に、中間レベルにも同様の構成によって入庫手段１１１ａと出庫手段１１１ｂとが設けられている。そして、中間の入庫手段１１１ａと出庫手段１１１ｂとの外端部分に上方から対向される状態で前記クリーンルーム８内には、これら入庫手段１１１ａや出庫手段１１１ｂとの間でカセット（荷の一例）１９０の受け渡しを行う荷搬送手段１８１が設けられている。
【００５７】
この荷搬送手段１８１は、天井側のレール装置１８２と、このレール装置１８２に支持案内され自動走行自在な吊り走行形式の移動体１８３と、この移動体１８３の下部側に設けられた荷保持部１８４などにより構成されている。そして荷保持部１８４には、荷吊り装置１８５が昇降動自在に設けられている。
【００５８】
このような荷搬送手段１８１は、レール装置１８２の支持案内により移動体１８３を自動走行させて、入庫手段１１１ａや出庫手段１１１ｂにおける外端部分の上方に停止させ、そして荷保持部１８４による保持動または保持解除動と荷吊り装置１８５の昇降動との組み合わせ動作を行うことで、入庫手段１１１ａや出庫手段１１１ｂとの間でカセット１９０の受け渡しを行える。
【００５９】
上述したように、各囲壁体１１内にはそれぞれ回転棚２１と移載手段５１と固定棚１０１とが設けられ、これら回転棚２１と移載手段５１と固定棚１０１とは、回転円経路２３と移載円経路５３との両方とも単数として配設されている。そして固定棚１０１は、前記移載円経路５３上の４箇所（複数箇所）に設けられている。
【００６０】
また、回転棚２１には荷受け部３２群が上下複数段に設けられ、固定棚１０１には荷支持部１０３が上下複数段に設けられている。さらに共有の移載手段５１は、上階１側と下階２側との回転棚２１や固定棚１０１の上下複数段に対応して作用可能に構成されている。なおカセット１９０の下面側には、前記位置決めピン３５，８２，１０６，１１５，１４３，１５５群の嵌合を許す嵌合部１９１が、凹入長孔状に形成されている。ここでカセット１９０は、たとえば被処理物（図示せず。）を収納可能に構成されている。
【００６１】
以下に、上記した第１の実施の形態における作用を説明する。
上階１側と下階２側とのクリーンルーム８では、フィルター６を通して噴出させたクリーンエアＡをグレーチング床７の下側に排出させることで、ダウンフロー方式によりクリーン雰囲気を保っている。このようなクリーンルーム８でカセット１９０を、上階１側または下階２側の荷保管装置１０に入庫して保管するに、まず入庫しようとするカセット１９０を入庫手段１１１ａの始端部分（外端部分）に載置させる。
【００６２】
すなわち人手操作や荷搬送手段１３１の作動などによって、図１３のＥに示すように、入庫手段１１１ａにおける一時受け体１１３上に、入庫しようとするカセット１９０を載置させ、位置決めピン１１５に嵌合部１９１を嵌合させる。この前後に、下降しかつ正姿勢の昇降体１４２を昇降作用部１１４の下方に位置させている。
【００６３】
この状態で、まず昇降装置１２５の駆動部１２８を作動させ、無端連動機構１３０などを介して螺子軸体１２７を回転させる。すると、螺子軸体１２７の回転に伴ってナット体１３１が上昇し、昇降部材１３３を介して旋回装置１３５を上昇させ、以て旋回装置１３５側の軸体１３８に連結している昇降体１４２を上昇させる。この上昇する昇降体１４２は昇降作用部１１４を通り、図１４の仮想線に示すように、一時受け体１１３上のカセット１９０を持ち上げる。
【００６４】
次いで移動装置１１８の駆動部１１９を作動させ、タイミングベルト１２３が掛けられているタイミングプーリ１２１を駆動回転させることで、移動部材１１７をガイド体１１６に支持案内させながら入庫手段１１１ａの終端部分（内端部分）に向け移動させる。このとき、昇降装置１２５や旋回装置１３５を介して昇降体１４２も移動し、以てカセット１９０を、入庫用貫通部１１０ａを通して囲壁体１１内に搬送したのち、図１３のＦや図１４の実線に示すように、終端部分で停止し得る。これによりカセット１９０を、図１０に示すように、固定棚１０１の下部に形成した空間部分１０７などに位置し得る。
【００６５】
そして、旋回装置１３５の駆動部１３９を作動させ、無端連動機構１４１などを介して軸体１３８を回転させ、以て図１３のＧに示すように、昇降体１４２を介してカセット１９０の向きを傾斜方向に変更させる。すなわちカセット１９０を、固定棚１０１の荷支持部１０３により支持し得る向きに変更させる。
【００６６】
次いで、昇降装置１２５の駆動部１２８を逆作動させ、無端連動機構１３０などを介して螺子軸体１２７を逆回転させる。すると、螺子軸体１２７の逆回転に伴ってナット体１３１が下降し、昇降部材１３３を介して旋回装置１３５を下降させることになって、旋回装置１３５側の軸体１３８に連結している昇降体１４２を下降させる。この下降する昇降体１４２は位置決めピン１４３間を通り、以てカセット１９０を、その嵌合部１９１を位置決めピン１４３に嵌合させた状態で本体１１２側に載置させる。
【００６７】
そして旋回装置１３５の駆動部１３９を逆作動させ、無端連動機構１４１などを介して軸体１３８を逆回転させ、以て昇降体１４２の向きを正姿勢に変更させる。次いで移動装置１１８の駆動部１１９を逆作動させ、タイミングベルト１２３が掛けられているタイミングプーリ１２１を逆に駆動回転させることで、移動部材１１７を入庫手段１１１ａの始端部分（外端部分）に向け移動させる。このとき、昇降装置１２５や旋回装置１３５を介して昇降体１４２も移動し、以て下降しかつ正姿勢の昇降体１４２を昇降作用部１１４の下方に位置させ、最初の状態に戻し得る。
【００６８】
次いで、入庫手段１１１ａの内端部分に位置させたカセット１９０を、移載手段５１により受け取る。その際に図７の実線に示すように、空の移載作用部８１を回転体７０内に退入動させた状態で、この移載作用部８１の回転と昇降とを、同時状にまたはいずれかを先行して相前後して行う。
【００６９】
すなわち移載作用部８１を回転させるに、回転駆動手段７３における回転駆動部７４を正逆に駆動させ、駆動軸７５を介して駆動輪体７６を正逆に回転させる。これにより、無端回動体７８や従動輪体７７を介して縦軸７１を正逆に回転させ得、以て回転体７０を介して移載作用部８１を、移載軸心５２の周りに正逆に回転させ得る。
【００７０】
また移載作用部８１の昇降させるに、昇降駆動手段６１における回転駆動部６６を正逆に駆動させ、駆動軸６８を介して駆動輪体６２を正逆に回転させる。これにより、回動体６４を正逆に回動させ得、以て被ガイド体５９や昇降部６０を介して移載作用部８１を昇降し得る。このようにして移載作用部８１を回転ならびに昇降させることで、この移載作用部８１を、入庫手段１１１ａの内端部分に対して、少し下方のレベルで対抗し得る。
【００７１】
次いで、移載作用部８１を突出動させる。すなわち、出退駆動手段９０における回転駆動部９４を駆動させ、ベルト連動機構９３を介して螺子軸９１を回転させる。これにより、ナット体９２が螺合移動することになって移載作用部８１を突出動させ得、その際に移載作用部８１は、ガイド体８４により被ガイド体８５を案内することで、図７の仮想線で示すように直線状に突出動し得る。この突出動によって移載作用部８１を、入庫手段１１１ａの内端部分に位置させたカセット１９０の下方に位置し得る。
【００７２】
この状態で、前述したような昇降駆動手段６１の動作により、昇降部６０などを介して移載作用部８１を少し上昇させる。すると、移載作用部８１が入庫手段１１１ａにおける本体１１２の内端部分を上昇し、以て入庫手段１１１ａの内端部分に位置させたカセット１９０を持ち上げ得、その際に位置決めピン８２を嵌合部１９１に嵌合させる。そして出退駆動手段９０を前述とは逆作動させて、移載作用部８１を退入動させることにより、カセット１３０を回転体７０の上方に位置し得る。
【００７３】
次いで、前述と同様に移載作用部８１を回転させるとともに、必要に応じて昇降させることで、カセット１９０を目的とする固定棚１０１の目的とする荷支持部１０３に対抗し得る。このとき移載作用部８１は、荷支持部１０３よりも少し上方に位置している。
【００７４】
そして、前述と同様にして移載作用部８１を突出動させることで、カセット１９０を荷支持部１０３の上方に位置し得、次いで移載作用部８１を少し下降動させることで、カセット１９０を荷支持部１０３上に載置し得る。その際に嵌合部１９１を位置決めピン１０６に嵌合させ、その後に移載作用部８１を退入動させる。これにより、入庫手段１１１ａの内端部分に位置させていたカセツト１９０を固定棚１０１に対して入庫し得る。すなわち、入庫手段１１１ａに供給したカセット１９０を、移載円経路５３上に設けられた固定棚１０１の荷支持部１０３に入庫させる入庫作業を終了する。
【００７５】
また、入庫手段１１１ａの内端部分に位置させたカセット１９０は、回転棚２１にも入庫し得る。すなわち、前述したように入庫手段１１１ａの内端部分に位置させたカセット１９０を、移載手段５１により受け取る作業中に、回転棚２１を先行して回転し準備させる。
【００７６】
この回転棚２１の回転は、回転棚駆動手段４１における回転駆動部４２を正逆に駆動させ、駆動軸４３を介して駆動ギヤ４４を正逆に回転させる。これにより、リングギヤ４５を正逆に回動させ得、以て縦軸体２７などを介して荷受け部３２群を回転棚軸心２２の周りに回転し得る。その際に、荷受け部３２群は回転円経路２３上で回転移動し、そして、目的とする荷受け部３２が移載円経路５３に接線状に重合した位置に達したときに、その回転を停止させる。
【００７７】
なお回転棚２１の回転は、前述した重合位置に対して目的とする荷受け部３２の回転距離が短い方に、最大で１８０°に正または逆に行われ、以て迅速にかつ能率的に回転し得る。また、移載手段５１により受け取る作業中に、回転棚２１を先行して回転し準備させることで、全体の稼動能率を向上し得る。なお、目的とする荷受け部３２が最初から重合位置にあるときには、回転棚２１の回転は行われない。
【００７８】
このように、目的とする荷受け部３２を重合位置に停止させたのち、前述と同様に移載手段５１を作用させることで、移載作用部８１で支持していたカセット１９０を、図４、図６で示すように荷受け部３２上に載置し得る。その際に嵌合部１９１を位置決めピン３５に嵌合させる。これにより、入庫手段１１１ａの内端部分に位置させていたカセット１９０を、回転棚２１の目的とする荷受け部３２上に載置し得、以て入庫手段１１１ａに供給したカセット１９０の回転棚２１に対する入庫作業を終了する。
【００７９】
なお、固定棚１０１に保管しているカセット１９０も、移載手段５１の作動や回転棚２１の回転により、同様にして回転棚２１に移して保管し得る。その際に、固定棚１０１のカセット１９０を移載手段５１により受け取る作業中に、回転棚２１を先行して回転し準備させることで、全体の稼動能率を向上し得る。なお、目的とする荷受け部３２が最初から重合位置にあるときには、回転棚２１の回転は行われない。
【００８０】
前記移載手段５１を上述とは逆に動作させることによって、カセット１９０の出庫作業を行える。すなわち、回転棚２１の目的とする荷受け部３２上に載置してあるカセット１９０を、出庫手段１１１ｂの始端部分（内端部分）に載置させ得、また目的とする固定棚１０１の目的とする荷支持部１０３に上に載置してあるカセット１９０を出庫手段１１１ｂの始端部分に位置させ得る。
【００８１】
つまり、まず移載手段５１の作動によって、図１３のＨに示すように、出庫手段１１１ｂにおける本体１１２の始端部分に、その嵌合部８を位置決めピン１４３に嵌合させた状態で載置させる。次いで出庫手段１１１ｂを、前述した入庫手段１１１ａとはほぼ逆に作動させる。すなわち、傾斜方向に向き変更させている昇降体１４２を上昇させてカセット１９０の持ち上げを行う。
【００８２】
そして図１３のＩに示すように、昇降体１４２の向きを正姿勢に変更させたのち、移動部材１１７をガイド体１１６に支持案内させながら出庫手段１１１ｂの終端部分（外端部分）に向け移動させる。このとき、昇降装置１２５や旋回装置１３５を介して昇降体１４２も移動し、以てカセット１９０を、出庫用貫通部１１０ｂを通して囲壁体１１外に搬送させたのち、図１３のＪに示すように、出庫手段１１１ｂの終端部分で停止させる。
【００８３】
次いで昇降体１４２を、一時受け体１１３の昇降作用部１１４を通して下降させ、以てカセット１９０を、その嵌合部１９１を位置決めピン１１５に嵌合させた状態で一時受け体１１３側に載置させる。このようにカセット１９０を、出庫手段１１１ｂの終端部分（外端部分）に位置させることで、出庫作業を終了する。
【００８４】
なお、回転棚２１に保管しているカセット１９０も、移載手段５１の作動や回転棚２１の回転などにより、同様にして固定棚１０１に移して（出庫して）保管し得る。
【００８５】
上述したようにして出庫手段１１１ｂの終端部分に出庫したカセット１９０は、ストレージ手段１５１によってストレージし得る。すなわち、移動部材１５７を出庫手段１１１ｂ側に移動させて、下降させている昇降体１７４を一時受け体１１３における昇降作用部１１４の下方に位置させる。そして昇降体１７４を上昇させて、図１５の仮想線に示すように、カセット１９０を持ち上げたのち、移動部材１５７を遊端部分側に移動させ、以て図１５の実線や図１６に示すように、カセット１９０を一時受け体１５３の上方に位置させる。
【００８６】
次いで昇降体１７４を、一時受け体１５３の昇降作用部１５４を通して下降させ、以てカセット１９０を、その嵌合部１９１を位置決めピン１５５に嵌合させた状態で一時受け体１５３側に載置させる。このようにカセット１９０を、ストレージ手段１５１の遊端部分に位置させることで、図１３のＫに示すように、ストレージし得る。
【００８７】
上述したように、カセット１９０を上階１側または下階２側の荷保管装置１０に入庫させるに際し、または上階１側または下階２側の荷保管装置１０からカセット１９０を出庫させるに際し、あるいは荷保管装置１０側で保管中において、移載手段５１における昇降部６０側を上階１と下階２との間で昇降させることによって、上階１側と下階２側との間でカセット１９０を移動し得る。
【００８８】
上述したような各動作において、カセット１９０の嵌合部１９１が位置決めピン３５，８２，１０６，１１５，１４３，１５５に嵌合することで、回転中の遠心力などによってカセット１９０が互いに衝突したり、カセツト１９０が位置ずれしたり脱落することを防止し得る。
【００８９】
上述したように移載手段５１は、移載作用部８１を移載軸心５２の周りに回転させるだけで走行移動などは行わないことから、走行移動などのための占有スペースは不要となり、回転棚２１と固定棚１０１とを含めた全体をコンパクトに構成し得る。
【００９０】
しかも、回転棚２１と固定棚１０１とにより保管量を増加し得るとともに、走行構成のない移載手段５１は移載作用部８１を床近くまで下降し得ることで、それに合わせて、回転棚２１の荷受け部３２による保管レベルと固定棚１０１の荷支持部１０３による保管レベルとを床近くまで下げ得、以て保管量をより増加し得る。したがって、クリーンルーム８のようなクリーン空間をできるだけ狭くしたい場所に容易にかつ好適に採用し得る。
【００９１】
前述したように、出庫手段１１１ｂの終端部分に位置させることで、クリーンルーム８内に出庫したカセット１９０、ならびにストレージ手段１５１でストレージしたカセット１９０は、荷搬送手段１８１により目的とする場所に搬送し得る。すなわち、荷搬送手段１８１の移動体１８３を搬送経路１８６上で移動させ、出庫手段１１１ｂの終端部分やストレージ手段１５１に位置しているカセット１９０の上方で停止させる。
【００９２】
次いで荷吊り装置１８５を下降動させてカセット１９０のクランプを行ったのち、荷吊り装置１８５を上昇動させてカセット１９０の持ち上げを行い、そして持ち上げたカセット１９０を荷保持部１８４によって保持する。この状態で、移動体１８３を搬送経路１８６上で移動させることで、目的とする場所へと搬送し得る。
【００９３】
また、カセット１９０を前述したようにして移動体１８３側で支持したのち、搬送経路１８６上で搬送させる。この後にカセット１９０は、上述したように入庫手段１１１ａにおける一時受け体１１３上に載置させることで、荷保管設備１０に入庫し得る。
【００９４】
なお、クリーンルーム８においては、クリーンエアＡがダウンフロー方式により流れていることで、荷搬送手段１８１などで発生した塵埃を、その流れに乗せて迅速に除去し得る。したがってクリーンルーム８においては、充分なクリーン雰囲気（クリーン度）でカセット１９０の搬送などを行える。
【００９５】
次に、本発明の第２〜第６の実施の形態を、図１７、図１８に基づいて説明する。
すなわち、図１７の（ａ）は第２の実施の形態を示し、回転棚２１と移載手段５１と固定棚１０１とは、回転円経路２３が２つ（複数）で移載円経路５３が１つ（単数）として配設されている。そして、両回転棚２１の回転棚軸心２２と移載手段５１の移載軸心５２が同じ線１０９上に位置されている。さらに入庫手段１１１ａと出庫手段１１１ｂとは回転棚２１の下部などに形成された空間部分に位置されている。
【００９６】
また、図１７の（ｂ）は第３の実施の形態を示し、上述した第２の実施の形態の変形例で、一方の回転棚２１の回転棚軸心２２は、他方の回転棚２１の回転棚軸心２２と移載手段５１の移載軸心５２とを結ぶ線１０９から外れている。
【００９７】
そして、図１７の（ｃ）は第４の実施の形態を示し、回転棚２１と移載手段５１と固定棚１０１とは、回転円経路２３が３つ（複数）で移載円経路５３が１つ（単数）として配設されている。
【００９８】
さらに、図１８の（ａ）は第５の実施の形態を示し、回転棚２１と移載手段５１と固定棚１０１とは、回転円経路２３が１つ（単数）で移載円経路５３が２つ（複数）として配設されている。
【００９９】
また、図１８の（ｂ）は第６の実施の形態を示し、回転棚２１と移載手段５１と固定棚１０１とは、回転円経路２３と移載円経路５３との両方とも２つ（複数）として配設されている。
【０１００】
上記した実施の形態では、上階１と下階２とに回転棚２１が設けられ、そして２つの階に亘って共有の移載手段５１が設けられているが、これは２つ以上の階に回転棚２１が設けられた形式や、２つ以上の階に亘って共有の移載手段５１が設けられた形式などであってもよい。
【０１０１】
上記した実施の形態では、移載手段５１の移載作用部８１が移載軸心５２の周りで回転自在に設けられた形式が示されているが、これは移載手段５１が非回転の形式などであってもよい。
【０１０２】
上記した実施の形態では、移載手段５１として、回転体７０を移載軸心５２の周りに回転自在とした形式が示されているが、これは移載作用部８１も含めて移載手段５１の全体を、たとえばポスト体５５の部分に位置される移載軸心の周りに回転自在とした形式などであってもよい。
【０１０３】
上記した実施の形態では、回転棚２１群が、その回転棚軸心２２が同一線状として複数の階に設けられた形式が示されているが、これは回転棚２１群が、その回転棚軸心２２を異なる位置として複数の階に設けられた形式などであってもよい。
【０１０４】
上記した実施の形態では、移載円経路５３上に固定棚１０１が設けられた形式が示されているが、これは固定棚１０１が省略された形式などであってもよい。上記した実施の形態では、移載手段５１が、階層間の床側に配設された梁材９間を貫通して設けられた形式が示されているが、これは梁材９に関係なく、移載手段５１が階層間の床側を貫通して設けられた形式などであってもよい。
【０１０６】
上記した実施の形態では、移載手段５１として、その移載作用部８１をカセット１３０の底面に作用させる形式が示されているが、これはカセット１３０の側部や上部から側方に突出させた被係止部に下方から係止させる形式などであってもよい。
【０１０７】
上記した実施の形態では、移載円経路５３上の複数箇所に固定棚１０１が設けられているが、これは単数箇所に固定棚１０１が設けられた形式であってもよい。
【０１０８】
上記した実施の形態では、回転棚２１は正逆に回転自在であり、最大で１８０°の回転が行われるように構成されているが、これは正逆の回転が１８０°以上で行われる形式や、回転が一方向のみに行われる形式などであってもよい。
【０１０９】
上記した実施の形態では、固定棚１０１に対する移載手段５１の作業中に、回転棚２１が先行して準備されるように構成されているが、これは固定棚１０１に対する移載手段５１の作業が終了した後に、回転棚２１が準備される形式などであってもよい。
【０１１０】
上記した実施の形態では、荷としてカセット１９０が示されているが、これは他の物品でもよく、またパレットを取り扱う形式などであってもよい。
上記した実施の形態では、回転棚２１から最も離れた２個の固定棚１０１に対応して、入庫手段１１１ａと出庫手段１１１ｂとが設けられているが、これは回転棚２１に接近した固定棚１０１と最も離れた２個の固定棚１０１とに対応して、入庫手段１１１ａと出庫手段１１１ｂとが設けられた形式であってもよい。この場合には、両側に振り分けて２組の入庫手段１１１ａと出庫手段１１１ｂとを設けることもできる。
【０１１１】
上記した実施の形態では、入庫手段１１１ａと出庫手段１１１ｂとして昇降装置１２５や旋回装置１３５などからなる形式が示されているが、これはローラコンベヤを使用した形式、昇降可能なベルトコンベヤなどが配設された形式などであってもよい。
【０１１２】
上記した実施の形態では、出庫手段１１１ｂに連続される状態でストレージ手段１５１が配設された形式が示されているが、これは入庫手段１１１ａ側にもストレージ手段が配設された形式、ストレージ手段１５１が省略された形式などであってもよい。
【０１１３】
【発明の効果】
上記した本発明の請求項１によると、回転棚を回転棚軸心の周りに回転させて、回転円経路上の荷受け部群のうち、目的とする荷受け部を移載手段に対向させることで、この荷受け部に対して移載手段により荷の出し入れを行うことができ、その際に移載手段は走行移動などは行わないことから、走行移動などのための占有スペースを不要にできて、回転棚を含めた全体をコンパクトに構成できる。しかも、回転棚により保管量を増加できるとともに、複数の階の回転棚に共有する移載手段は階層間の床近くまで作用できることで、それに合わせて回転棚の保管レベルを下げることができて、保管量を増加できることになる。
【０１１４】
しかも、移載手段を複数の階の回転棚に共有することで、移載手段の台数を少なくできるとともに、階層間の床に対しては移載手段のみを貫通して配設すればよくて、床に対する貫通面積を小さくでき、以て据え付け作業を容易に行うことができるとともに、階層間の床などの強度を確保できる。そして、囲壁体内に配設される回転棚と、上下の囲壁体内とダクト体内とに亘って配設される移載手段とを、クリーンルーム内では隔離して配設することにより、回転棚や移載手段により発生する塵埃によってクリーンルームが汚れることを防止でき、以てクリーンルームのクリーン雰囲気を好適に維持できる。
【０１１５】
また上記した本発明の請求項２によると、移載手段の移載作用部を移載軸心の周りに回転させることで、移載円経路上の複数箇所に回転円経路を接線状に重合させて、移載手段の周辺に複数の回転棚を配設でき、以て各階においては、複数の回転棚に移載手段を作用させることができて、全体をコンパクトに構成できるものでありながら保管量を増加できる。
【０１１６】
そして上記した本発明の請求項３によると、各階の回転棚に対する移載手段の移載作用（制御）を単純化（共通化）できる。
さらに上記した本発明の請求項４によると、移載手段の移載作用部を移載軸心の周りに回転させることで、固定棚に対して荷の出し入れを行うことができ、以て固定棚群によって保管量をより増加できる。
【０１１７】
しかも上記した本発明の請求項５によると、移載手段を階層間の床側に貫通させるものでありながら、梁材によって床側を十分に補強できる。
【図面の簡単な説明】
【図１】本発明の第１の実施の形態を示し、荷保管設備の縦断側面図である。
【図２】同荷保管設備における荷保管装置の外観斜視図である。
【図３】同荷保管設備における荷保管装置の縦断側面図である。
【図４】同荷保管設備の横断平面図である。
【図５】同荷保管装置における回転棚の下部の一部切り欠き側面図である。
【図６】同荷保管装置における回転棚の上部の一部切り欠き側面図である。
【図７】同荷保管装置における移載手段の下部の一部切り欠き側面図である。
【図８】同荷保管装置における移載手段の上部の一部切り欠き側面図である。
【図９】同荷保管装置における移載手段の一部切り欠き平面図である。
【図１０】同荷保管装置における固定棚の側面図である。
【図１１】同荷保管装置における固定棚の平面図である。
【図１２】同荷保管装置における要部の側面図である。
【図１３】同荷保管設備における入出庫手段部分の概略平面図である。
【図１４】同荷保管設備における入庫手段部分の一部切り欠き側面図である。
【図１５】同荷保管設備における出庫手段からストレージ手段部分の一部切り欠き正面図である。
【図１６】同荷保管設備におけるストレージ手段部分の一部切り欠き側面図である。
【図１７】本発明の第２〜第４の実施の形態を示し、（ａ）は第２の実施の形態を示す概略平面図、（ｂ）は第３の実施の形態を示す概略平面図、（ｃ）は第４の実施の形態を示す概略平面図である。
【図１８】本発明の第５、第６の実施の形態を示し、（ａ）は第５の実施の形態を示す概略平面図、（ｂ）は第６の実施の形態を示す概略平面図である。
【符号の説明】
１    上階
２    下階
３    天井壁
４    上階床
５    下階床
６    フィルター
７    グレーチング床
８    クリーンルーム
９    梁材
１０    荷保管装置
１１    囲壁体
１７    荷保管室（荷保管空間）
２１    回転棚
２２    回転棚軸心
２３    回転円経路
２５    ＬＭガイド手段
２６    回転体
２７    縦軸体
３０    環状板
３２    荷受け部
３４    凹所
４１    回転棚駆動手段
５１    移載手段
５２    移載軸心
５３    移載円経路
５４    ベース枠
５５    ポスト体
５６    ガイドレール
５９    被ガイド体
６０    昇降部
６１    昇降駆動手段
６４    回動体
６６    回転駆動部
７０    回転体
７３    回転駆動手段
８１    移載作用部
９０    出退駆動手段
９６    ダクト体
９７    ブラケット
１０１    固定棚
１０３    荷支持部
１０５    凹所
１０７    空間部分
１０９    線
１１１ａ  入庫手段（入出庫手段）
１１１ｂ  出庫手段（入出庫手段）
１１３    一時受け体
１１７    移動部材
１１８    移動装置
１２５    昇降装置
１３３    昇降部材
１３５    旋回装置
１４２    昇降体
１４３    位置決めピン
１４５    入出庫方向
１５１    ストレージ手段
１５３    一時受け体
１６５    昇降装置
１７４    昇降体
１８１    荷搬送手段
１８３    移動体
１８５    荷吊り装置
１８６    搬送経路
１９０    カセット（荷）
１９１    嵌合部
Ａ    クリーンエア
【図１】
0003832294.tif 000002
【図２】
0003832294.tif 000003
【図３】
0003832294.tif 000004
【図４】
0003832294.tif 000005
【図５】
0003832294.tif 000006
【図６】
0003832294.tif 000007
【図７】
0003832294.tif 000008
【図８】
0003832294.tif 000009
【図９】
0003832294.tif 000010
【図１０】
0003832294.tif 000011
【図１１】
0003832294.tif 000012
【図１２】
0003832294.tif 000013
【図１３】
0003832294.tif 000014
【図１４】
0003832294.tif 000015
【図１５】
0003832294.tif 000016
【図１６】
0003832294.tif 000017
【図１７】
0003832294.tif 000018
【図１８】
0003832294.tif 000019